(57)【特許請求の範囲】
【請求項１】
毛を切断する刃ヘッド部と、この刃ヘッド部の下方に連結されるグリップ部とからなり、毛が導入される多数の開口を形成した外刃と、外刃に摺接する内刃と、内刃を駆動するモータとを刃ヘッド部に備え、刃ヘッド部が左右に揺動し得るように刃ヘッド部をグリップ部に揺動自在に連結すると共に、刃ヘッド部が揺動方向の中立位置に位置するように刃ヘッド部を弾性付勢し、刃ヘッド部の複数の外刃のうち少なくとも１つを左右に揺動自在且つ上下動自在に設けると共に外刃が揺動の中立位置で且つ上方位置するように弾性付勢し、外刃を弾性付勢する力より刃ヘッド部を弾性付勢する力を大きくしたことを特徴とする電気かみそり。
【請求項２】
刃ヘッド部を左右に揺動自在且つ上下動自在にし、刃ヘッド部が揺動方向の中立位置に位置すると共に上方に移動するように弾性付勢したことを特徴とする請求項１記載の電気かみそり。
【請求項３】
外刃に対して内刃が左右に摺動するように内刃を摺接させると共に内刃をモータにて左右に往復駆動する往復式としたことを特徴とする請求項１または請求項２記載の電気かみそり。
【請求項４】
刃ヘッド部に複数の外刃を平行に設けると共に複数の外刃を夫々独立して揺動且つ上下動自在にしたことを特徴とする請求項１乃至請求項３のいずれかに記載の電気かみそり。
【請求項５】
内刃を駆動するモータを刃ヘッド部内に収納したことを特徴とする請求項１乃至請求項４のいずれかに記載の電気かみそり。
【請求項６】
ヘッド支持部材を刃ヘッド部に対して回転自在に結合し、ヘッド支持部材が上方に弾性付勢されながらグリップ部に上下動自在に支持されたことを特徴とする請求項２記載の電気かみそり。
【発明の詳細な説明】
【０００１】
【発明の属する技術分野】
本発明は、刃ヘッド部がグリップ部に対して動くことにより肌に密着して毛剃りができるようにした電気かみそりに関するものである。
【０００２】
【従来の技術及び発明が解決しようとする課題】
従来、早剃りの性能の向上を目的として、刃ヘッド部に複数箇所の剃り部を設け、刃ヘッド部がグリップ部となる本体に対して動くことにより、肌に密着できるようにした技術は数多く提案されている（例えば、特許文献１、特許文献２参照）。
【０００３】
【特許文献１】
特開平１０−４３４４３号公報
【特許文献２】
特開平６−３４３７７６号公報
特許文献１では、肌面の左右方向及び上下方向の変化に対して追従を向上させることを目的として、モータと刃ヘッド部を一体としてグリップ部に対して左右、上下動自在に支持されており、グリップ部を握って刃ヘッド部の剃り部を肌に当てて髭剃りするとき、グリップ部に対して刃ヘッド部が揺動したり上下動したりしてある程度肌に追従させることができるが、刃ヘッド部に対して剃り部が動かないために細かい肌の凹凸に追従できず、剃り残しができたりするという問題がある。
【０００４】
特許文献２でも肌面の変化に対して追従させることを目的として、モータと刃ヘッド部を一体としてグリップ部に対して左右に回転自在に支持されており、グリップ部を握って刃ヘッド部の剃り部を肌に当てて髭剃りするとき、グリップ部に対して刃ヘッド部が回転して肌に追従させることができるが、刃ヘッド部に対して剃り部が動かないため細かい肌の凹凸に追従できず、剃り残しができたりするという問題がある。
【０００５】
本発明は叙述の点に鑑みてなされたものであり、どのような剃り方をしても刃ヘッド部の剃り部を肌にスムーズに追従させることができ、髭の剃り残しの少ない電気かみそりを提供することを課題とするものである。
【０００６】
【課題を解決するための手段】
上記課題を解決するための本発明の電気かみそりは、毛を切断する刃ヘッド部と、この刃ヘッド部の下方に連結されるグリップ部とからなり、毛が導入される多数の開口を形成した外刃と、外刃に摺接する内刃と、内刃を駆動するモータとを刃ヘッド部に備え、刃ヘッド部が左右に揺動し得るように刃ヘッド部をグリップ部に揺動自在に連結すると共に、刃ヘッド部が揺動方向の中立位置に位置するように刃ヘッド部を弾性付勢し、刃ヘッド部の複数の外刃のうち少なくとも１つを左右に揺動自在且つ上下動自在に設けると共に外刃が揺動の中立位置で且つ上方位置するように弾性付勢し、外刃を弾性付勢する力より刃ヘッド部を弾性付勢する力を大きくしたことを特徴とする。刃ヘッド部が左右に揺動して大きな肌面の変化に対して追従性をよくできると共に剃り部である外刃が左右上下に動くことにより細かい肌の凹凸に対しても確実に追従するために外刃と肌とが密着し、剃り残しが少なくなって早く仕上がると共に肌に対する衝撃を吸収できるために肌へのダメージを低減することができる。また細かい肌の凹凸に対して刃ヘッド部が余り動かないで外刃のフロートの動きで追従し、大きな凹凸に対しては刃ヘッド部が大きく動くのでどんな部位においても剃り残しがなくなる。
【０００７】
また刃ヘッド部を左右に揺動自在且つ上下動自在にし、刃ヘッド部が揺動方向の中立位置に位置すると共に上方に移動するように弾性付勢したことを特徴とすることも好ましい。この場合、刃ヘッド部全体が上下にフロートする機能も有するために柔らかく心地よい肌当りの感触が得られる。
【０００８】
また刃ヘッド部に複数の外刃を平行に設けると共に複数の外刃を夫々独立して揺動且つ上下動自在にしたことを特徴とすることも好ましい。刃ヘッド部の複数の外刃が別々にフロートするために外刃が並ぶ方向に対する肌の凹凸に対しても追従できて全ての外刃を肌に確実に密着させて一層剃り残しのないようにできる。
【０００９】
【発明の実施の形態】
先ず、図１乃至図９の実施の形態の例に基づいて詳述する。
図１乃至図５に全体の構成を示す。図１に示すように本発明の電気かみそりは、毛を剃る刃ヘッド部としての刃ヘッドブロック１、手で持つグリップ部としてのグリップブロック２と、トリマーとしてのトリマーブロック３とにより構成されており、グリップブロック２の上端付近に刃ヘッドブロック１を支持する部材が配置されている。
【００１０】
刃ヘッドブロック１の構成について、図２に基づいて詳述する。刃ヘッドブロック１は、大きくリニアモータよりなるモータ４、内刃５、外刃ブロック６、モータ４を収納保持するヘッドケース７から構成されており、リニアモータよりなるモータ４の左右方向の振動がその先端の駆動子２４によって内刃５に伝えられて、内刃５と外刃ブロック６の外刃８とが互いに摺動することにより、外刃８の開口として刃穴に入った髭をカットするようになっている。
【００１１】
リニアモータよりなるモータ４はヘッドケース７内に下から挿入され、上から駆動子防水ゴム９とゴム押さえ板１０を介してねじ１１で固定されている。ヘッドケース７の下からヘッドケース下カバー１２が嵌め込まれ、下側からねじ１３を螺入することによりヘッドケース７にヘッドケース下カバー１２が固定されている。これによりモータ４を内蔵した防水構造の１つの箱体として構成される。モータ４の下側から延びているリード線１４は、モータ４を駆動させるためにその先端部がグリップブロック２内の駆動回路１５に結合されるものであり、ヘッドケース下カバー１２の穴１６を通って下側に露出した状態でヘッドケース下カバー１２に固定されている。
【００１２】
ヘッドケース７の長手方向の両端面には、着脱釦ばね１７と着脱釦１８が配置され、着脱釦１８の係合突起１９がヘッドケース７とヘッドケース下カバー１２の切欠部２０間に挟まれることにより着脱釦１８が回転自在に支持され、着脱釦ばね１７にて着脱釦１８が外側に付勢された状態になっている。ヘッドケース７の上面中央部の穴から突出したモータ４の駆動子２４には、スリット駆動杆４４、トリマー駆動杆２１、内刃押し上げばね２２が固定され、その内刃５が上方に付勢された状態で駆動子２４に結合している。
【００１３】
外刃ブロック６には３つの外刃８が前後方向に並べて装着されている。この外刃８はネット刃８ａ、スリット刃８ｂ、ネット刃８ｃで構成されている。これらの外刃８は独立にフロート可能となるように、枠形状の保持部材（図示省略）により保持されている。外刃ブロック６のカバー体６０は前カバー体６０ａと中央カバー体６０ｂと後カバー体６０ｃとで構成され、これらに夫々ネット刃８ａ、スリット刃８ｂ、ネット刃８ｃが装着されている。そして前カバー体６０ａと中央カバー体６０ｂと後カバー体６０ｃが独立して上下動すると共に左右に揺動し得るように結合してあり、ネット刃８ａ、スリット刃８ｂ、ネット刃８ｃが夫々自在に動き得るようにしてある。外刃ブロック６の左右方向の両端に設けられた係合穴（図示省略）と、着脱釦１８の上部の係合突起２３が係合することにより、外刃ブロック６はヘッドケース７に対して着脱自在に保持されている。外刃ブロック６をヘッドケース７に装着した状態で内刃押し上げばね２２の力で内刃５がネット刃８ａ，８ｃが押し付けられ、ネット刃８ａ、スリット刃８ｂ、ネット刃８ｃが前カバー体６０ａ、中央カバー体６０ｂ、後カバー体６０ｃと一緒に上下にフロート自在になっている。
【００１４】
次にグリップブロック２について、図１、図４、図５に基づいて詳述する。グリップケース２５は前側のグリップケース２５ａと後側のグリップケース２５ｂとに分割されており、前後のグリップケース２５ａ，２５ｂを結合した状態において、その下側が防水的に密封された箱体を形成している。このように箱体状に組み立てられたグリップケース２５内には電池２６、駆動回路１５、スイッチ釦２７と、それらを保持する基台２８が固定されている。前後のグリップケース２５ａ，２５ｂを組み立てたとき、その背面部からねじ２９により固定される。グリップケース２５の箱体状に密封された部分の上面部より上側には、刃ヘッドブロック１を支持する部材が配置されている。
【００１５】
次に刃ヘッドブロック１を支持する部位の構成について詳述する。ヘッド支持ブロック３０は前後に配置したヘッド支持部材３１を連結部３２で連結することによりコ字状に形成されている。このヘッド支持部材３１の上の先端部には穴３３が設けられている。一方、ヘッドケース７の前後面には、夫々２箇所、計４箇所の前後方向に突出する突起部３４が設けられている。前後の突起部３４は、夫々正面から見た場合に同軸上となる位置に形成されている。ヘッド支持ブロック３０は左右に各1個ずつ配置されており、夫々ヘッド支持部材３１の上部の穴３３がヘッドケース７の突起部３４に対して回転自在に嵌合しており、ヘッド支持ブロック３０がヘッドケース７を下側から前後に挟み込む状態で結合している。左右に設ける一対のヘッド支持部材３１の穴３３のうち少なくとも一方の穴３３は左右に長い長穴となっており、これによりヘッド支持部材３１が後述のようにガイド溝３６でガイドしていてもヘッドケース７側が揺動し得るようになっている。
【００１６】
前後のグリップケース２５ａ，２５ｂの前後面を上方に延長することで上方に突出する突出面３５を設けてあり、突出面３５の内側には上下方向にガイド溝３６を凹設してある。ヘッド支持ブロック３０は前後のグリップケース２５ａ，２５ｂの突出面３５間に挟まれるように配置されており、各ヘッド支持ブロック３０のヘッド支持部材３１をガイド溝３６に嵌合することでヘッド支持ブロック３０が上下動自在に保持されており、フロートばね３７をグリップケース２５ａ，２５ｂ上面とヘッド支持ブロック３０との間に配置することによりヘッド支持ブロック３０が上方にばね付勢されている。このようにヘッド支持ブロック３０を装着することにより、刃ヘッドブロック１はグリップケース２５に対して、左右に回転自在に且つ、上下動自在に結合される。
【００１７】
上記フロートばね３７の上端は刃ヘッドブロック１の下面に設けられた係合突起５９に係合している。このフロートばね３７には前側のフロートばね３７ａと後側のフロートばね３７ｂがあって、前側と後側とによりフロートばね３７の下端の係合する箇所が異なる。後側の２つのフロートばね３７ｂの下端は後側のグリップケース２５ｂの上面に設けられた係合突起３８に係合しており、前側のフロートばね３７ａの下端は図１、図９に示すように前側のグリップケース２５ａに対して上下動自在にガイドされたフロートばね受け３９の係合突起４０に係合している。
【００１８】
フロートばね受け３９の前側には、前方に突出する係合突起４１が設けられており、その先端は前側のグリップケース２５ａの突出面３５を通って、前側のグリップケース２５ａの突出面３５の前面に配置した調整ダイアル４２の後面に形成されたガイド溝４３に係合している。調整ダイアル４２を前面に配置した突出面３５の後面にはダイアル止め４５を配置してあり、ダイアル止め４５からねじ４６が突出面３５を介して調整ダイアル４２に螺合されて調整ダイアル４２が回転自在に保持されている。フロートばね受け３９にはガイド溝４７が設けられ、前側のグリップケース２５ａに設けたガイドリブ４８にガイド溝４７が上下に摺動自在に嵌合され、フロートばね受け３９の上下動以外の動きが規制されて上下動自在になっている。このように構成したことにより、調整ダイアル４２の回転がフロートばね受け３９の上下動に変換され、フロートばね３７ａのばね力を調整できるようになっている。
【００１９】
モータ４に取り付けられたリード線１４はゴムチューブ５０に貫通させた状態で、後側のグリップケース２５ｂの上面に設けられたリード線筒穴５１に貫通させられ、グリップケース２５内の駆動回路１５に結合されている。ゴムチューブ５０の上端はヘッドケース下カバー１２に設けられた下側に突出する筒穴に圧入により係止され、一方ゴムチューブ５０の下端は後側のグリップケース２５ｂの上面のリード線筒穴５１に係止されている。この結合により、電源となる電池２６から、駆動回路１５、リード線１４を経て、モータ４に結合され、モータ４を駆動できるようになっている。またリード線１４は上記のようにヘッドケース７の下面とグリップケース２５の上面との間に配線され、左右方向の中央付近にて各ケースと結合しているために、電線の動きを最小限にすることができ、電線のたわみ疲労が低減されて断線などの信頼性低下を防止できると共に刃ヘッドブロック１の動きに対して余計な抵抗力を与えないため、刃ヘッドブロック１の剃り部（外刃８の部分）の追従性を向上できる。
【００２０】
ヘッドケース７の前面には前方に突出し、且つその先端が下に突出した略逆Ｌ字状の突起片５２が形成されている。この突起片５２がヘッド係止部材５３の係合穴５４に貫通させられ、突起片５２の下方に突出した部分とヘッドケース７の前面とによりヘッド係止部材５３を前後に挟み込んだ状態で、ヘッド係止部材５３が前側のグリップケース２５ａの上方への突出面３５の上部に設けられたガイド溝５５に下側から嵌め込まれて、ヘッド係止部材５３が上下動自在になるように保持される。ヘッド係止部材５３の左右に突出した突起部５６がガイド溝５５の両側の縁部５５ａに係止することにより互いに前後方向に保持される。
【００２１】
トリマーブロック３は後側のグリップケース２５ｂの後側から取り付けフック５７によりフック結合され、トリマーブロック３を上方向にスライドすることにより、刃ヘッドブロック１の駆動子２４がトリマー駆動杆２１と結合し、トリマー刃が駆動されるようになっている。
【００２２】
図４、図６、図７、図８に正面からの刃ヘッドブロック１の動作図を示す。肌への押し付けにより、外刃８に外力が加わると、刃ヘッドブロック１全体がその力の大きさ、向きに応じて、動くことが可能となる。すなわち外刃８に与えられた外力は、ヘッドケース７に伝わり、その力がヘッド支持部材３１をばね力に抗して押し下げるのである。
【００２３】
このとき、刃ヘッドブロック１の回転中心はヘッドケース７から前後方向に突出する突起部３４となるが、この位置が刃ヘッドブロック１の上方にある場合には刃ヘッドブロック１の重心より高くなるため、回転による重心移動が上方向となるために、刃ヘッドブロック１の追従性が悪いものとなってしまう。刃ヘッドブロック１の重心はほぼ内蔵されているモータ４の位置により決定されるが、この刃ヘッドブロック１の重心位置より回転中心（揺動中心）が下側に位置するため、刃ヘッド部全体の質量が揺動を助ける力となって働くために、肌への押し付け力を助ける方向の力となって働き、刃ヘッドブロック１の追従性をよくできる。ヘッド支持部材３１は前後のグリップケース２５ａ、２５ｂのガイド溝３６により前後、左右方向にガイドされているため、刃ヘッドブロック１全体のがたつきがなく、スムーズな刃ヘッドブロック１の動きが可能となる。
【００２４】
また図８に示すように、刃ヘッドブロック１は真っ直ぐ下方向に下がることも可能になっている。これにより上下動と左右回転が組み合わさった動きとなり、肌の動きに追従するだけでなく、肌の凹凸を刃ヘッドブロック１の剃り部が乗り越える時の衝撃も吸収でき、肌当りを大きく向上させることができる。
【００２５】
また刃ヘッドブロック１は全てグリップケース２５の上面よりも上方に位置しているため、刃ヘッドブロック１の回転により干渉する箇所がないため、非常に大きな追従角が得られる。また刃ヘッドブロック１とグリップケース２５との間の隙間は左右方向の端部に行くに従って広がるように構成されており、且つ、刃ヘッドブロック１の左右方向の幅がグリップブロック２の上端部の左右方向の幅より大きく構成されており、これらの構成によっても、刃ヘッドブロック１の回転時にグリップケース２５との干渉がなく、大きな追従角を得ることができる。
【００２６】
またヘッド支持部材３１を１つの面（前面や後面）に対して２つ以上設けたために、刃ヘッドブロック１への外力がない状態において、常に刃ヘッドブロック１の傾きを中立に保つことが可能となり、肌に対しての当て角が安定するものである。また左右のヘッド支持部材３１のピッチをヘッドケース７の全幅の半分以下としたために、上方に刃ヘッドブロック１を付勢するばね力が回転力に及ぼす力を小さくすることができ、肌への追従性を向上させることができる。
【００２７】
また刃ヘッドブロック１の回転方向を前後軸回りとし、グリップケース２５の前後面にオーバーラップする突出面３５を形成したために、刃ヘッドブロック１の高さが高い場合にもグリップブロック２を握っている手の指が当ったりすることなく、スムーズな刃ヘッドブロック１の動きを実現できる。また突出面３５の内面にヘッドケース７の支持を行う支持部を形成したために、刃ヘッドブロック１の回転支持部近辺にてヘッド支持部材３１をガイドすることができ、グリップブロック２に対する刃ヘッドブロック１のガタツキ等を抑えることができる。またヘッド支持部材３１を前後の両側に設けたために、より確実に刃ヘッドブロック１を支持することができる。また前後のヘッド支持部材３１を連結部３２で連結して一体にしたために、前後のガタツキなく刃ヘッドブロック１を支持することができる。またヘッド支持部材３１とは別に、突出面３５とヘッドケース７の前後方向のガイドを行うためのガイド部材としてヘッド係止部材５３を設けたために、片側の突出面３５に対して前後方向の位置決めを確実に行えるようになり、前後方向のガタツキを低減することができる。
【００２８】
またヘッドケース７とグリップケース２５を夫々防水構造とし、各ケースを結合する配線としてリード線１４の周囲を弾性を有するゴムチューブ５０で覆う構成としたことにより、簡単で且つ信頼性の高い防水構造とすることができる。またヘッド支持部材３１と、刃ヘッドブロック１の上方付勢のためのばね部材をヘッドケース７とグリップケース２５の外側に配置したことにより、可動部分を防水構造の部分の外側とすることができるため、防水の信頼性を向上させることができる。
【００２９】
次に図１０乃至図１６に示す実施の形態の例について述べる。
【００３０】
図１０乃至図１２に示すように電気かみそりは、髭を剃る刃ヘッド部としての刃ヘッドブロック１と、手で握るグリップ部としてのグリップブロック２と、トリマーブロック３とにより構成されており、グリップブロック２内の上端付近に刃ヘッドブロック１を支持する部材が配置されている。グリップブロック２と刃ヘッドブロック１との間にはフロート機構ブロックが形成されている。
【００３１】
まず、刃ヘッドブロック１の構成について、図１２乃至図１４に基づいて詳述する。刃ヘッドブロック１は大きくリニアモータよりなるモータ４と、内刃５と、外刃ブロック６と、モータ４を収納保持するヘッドケース７と、ヘッドケース上カバー６２から構成されており、モータ４の左右方向の振動がその先端の駆動子２４によって内刃５に伝えられて、内刃５と外刃ブロック６の外刃８とが互いに摺動することにより、外刃８の刃穴に入った髭をカットするものである。モータ４はその下部において、モータ基台６１と一体に結合した状態でヘッドケース７内に上側から挿入され、下側から固定ねじ６３にて固定されている。
【００３２】
ヘッドケース７の上にはヘッドケース上カバー６２、駆動子防水ゴム９、ゴム押さえ板１０が順に配置され、ゴム押さえ板１０からヘッドケース上カバー６２を介してヘッドケース７に固定ねじ６４が螺合されて固定されている。このように固定ねじ６４で固定することにより、モータ４を内蔵した１つの防水構造の箱体として構成されるようになっている。
【００３３】
モータ４の下側から延びている電気配線としてのリード線１４はモータ４を駆動させるためにその先端部がグリップブロック２内の駆動回路１５に結合されるものであり、ヘッドケース７の下部に設けた穴を通って下側に露出している。ヘッドケース７の長手方向の両端面には、着脱釦１８が着脱釦１８内に内包した着脱釦ばね１７により外側に付勢された状態で取り付けられている。
【００３４】
ヘッドケース上カバー６２の上面中央部の穴から突出したモータ４の駆動子２４には前後からスリット駆動杆４４、トリマー駆動杆２１が取り付けられており、駆動子２４の中には内刃押し上げばね２２がばねストッパー６５により保持されており、その上から内刃５が結合されることにより、内刃５が上方に付勢された状態となっている。
【００３５】
外刃ブロック６には３つの外刃８としてのネット刃８ａ、スリット刃８ｂ、ネット刃８ｃが前後にその順で配置されており、それらはそれぞれが独立にフロート可能になるように外刃ブロック６内の枠形状の保持部材により保持されている。外刃ブロック６内の保持部材の左右方向両端に設けられた係合穴と、着脱釦１８の係合突起２３が係合することにより、外刃ブロック６はヘッドケース７に対して着脱自在に保持されている。
【００３６】
次にグリップブロック２について、図１０、図１２、図１３に基づいて詳述する。グリップブロック２は前後に分割したグリップケース２５ａ，２５ｂを中心に構成されており、前後のグリップケース２５ａ，２５ｂはその間にゴムのリング部材６６を挟んで結合されることにより、その内側に防水可能な箱体を形成すると共に、前後壁が上方に延出した突出面３５を有している。グリップケース２５ａ，２５ｂで形成された防水構造の箱体内には電池２６と回路と、それらを保持するための基台２８が配置されている。前後のグリップケース２５ａ，２５ｂは後側のグリップケース２５ｂの背面からグリップケース２５ｂを介してグリップケース２５ａにねじ２９を螺合することにより固定されている。
【００３７】
前のグリップケース２５ａ前面にはスイッチ部６８を挟み込んだ状態で前面パネル６９がフック結合している。前面パネル６９の前面の上部にはエラスマーよりなる正面弾性板７０がはめ込んで装着してある。後側のグリップケース２５ｂの背面側には後面パネル７１が背面側から固定ねじ６７により結合されていると共に、トリマーブロック３がフック結合されている。トリマーブロック３は上下方向にスライド自在に取り付けられており、そのスライド上部位置において、トリマーブロック３のトリマー駆動子２１が刃ヘッドブロック１に設けられたトリマー駆動杆２１と結合しトリマーブロック３のトリマー刃が駆動されるようになっている。下部のねじ２９の頭部はねじ穴蓋９２で隠されるようになっている。
【００３８】
ヘッド支持部材３１と連結部３２とからなるヘッド支持ブロック３０はコ字状に形成されており、そのヘッド支持部材３１の上先端部には穴３３が設けられている。一方ヘッドケース７の前後面には、それぞれ２箇所、計４箇所の前後方向に突出する突起部３４が設けられている。前後の突起部３４は、それぞれ正面から見て同軸になる位置に形成されている。前記ヘッド支持ブロック３０は左右に各１個ずつ配置されており、それぞれの上部の穴３３がヘッドケース７の突起部３４に対して回転自在に嵌合すると共にヘッドケース７を下側から前後に挟み込む状態に装着してある。ヘッド支持部材３１は、前後のグリップケース２５ａ，２５ｂの突出面３５に形成されたガイド溝３６にはめ込まれることにより、ヘッドケース７が突出面３５に挟まれた状態で上下動自在に保持されている。この構成により、刃ヘッドブロック１は、グリップケース２５ａ，２５ｂに対して、図１５（ｂ）（ｃ）に示すように左右に回転自在且つ上下動自在に結合されるものである。
【００３９】
ヘッドケース７の前面にはがた止め部材７３が配設されており、がた止め部材７３の前側上端部に設けられて左右に突出する突片７３ａがグリップケース２５の開口部７４を介してグリップケース２５ａの壁を挟み込み、ヘッドケース７が前後方向にがたつかないように保持される。またがた止め部材７３の後面下部には下側に延出する突起部７３ｃが形成されており、後のグリップケース２５ｂの内面に突起部７３ｃが沿わせられており、ヘッドケース７が前後にがたつかないようにされている。
【００４０】
次に、ヘッド支持ブロック３０を付勢するばねブロック７５について説明する。ばねブロック７５は各ヘッド支持ブロック３０に対応して左右に２つ設けられており、１つのばねブロック７５にはコイルばね７６と板ばね７７が上下のばね受け部材７８，７９により保持されている。コイルばね７６は上下のばね受け部材７８，７９に設けられた突起８０で保持されている。板ばね７７は略Ｕ字型に形成されており、その一片の穴部８１が上側のばね受け材７８の突起部を溶着することにより固定されている。下側のばね受け部材７９にはコイルばね７６を挟む位置に２箇所の突出片８２を有しており、その先端のフック８３が上側のばね受け部材７８に設けた穴８４に係合することによりばねブロック７５を組み立ててある。このばねブロック７５がヘッド支持ブロック３０を上方に押し上げるようにグリップケース２５ａ，２５ｂの上部に配置してある。
【００４１】
またヘッド支持ブロック３０が左右に２つ設けられていることの機能は以下の通りである。肌面と異なる角度に刃ヘッドブロック１のヘッド面が押し当てられた場合、ヘッド面の両端部のうち一方が肌に当り、刃ヘッドブロック１を下に下げようとする力が発生する。このときは刃ヘッドブロック１の回転の支点は、肌が当った側と反対側のヘッド支持部材３１と嵌合している軸（突起部３４）となるために力点との距離が大きくなり、刃ヘッドブロック１を回転させるための力が大きくなる。よって肌に接して沿う状態まで刃ヘッドブロック１が軽い力で回転するために肌と外刃８とが密着して、より剃り残しのない電気かみそりを提供できる。
【００４２】
後側のグリップケース２５ｂの片側側面部には扇型の平面部８５と穴８６が形成されており、グリップケース２５ｂ内に配置したレバー軸８６の一端が穴８６に挿通されており、穴８６の外側に配置したレバー操作子８７がレバー軸８６の一端に係合させて装着されている。このとき、レバー軸８６とレバー操作子８７とを別部材として係合させる構造とすることにより、レバー軸８６の挿通を簡単にすることができ、レバー操作子８７を後側のグリップケース２５ｂの平面部８５に配置できる。レバー軸８６は突出部８８を具備しており、レバー操作子８７を操作することによりレバー軸８６が回転し、突出部８８の先端高さが変化してばね受け部材７８の下面や板ばね７７の受け面に作用し、刃ヘッドブロック１の支持特性であるフロート量、フロート力の切り替えを行うようになっている。
【００４３】
またレバー軸８６の長手方向の中央付近には先端に球形状を有する突出部８９が形成されており、クリック部材９０と係合することにより、レバー軸８６の回転位置を位置決めすることが可能になっている。レバー軸８６は前のグリップケース２５ａと後のグリップケース２５ｂが結合される際、クリック部材９０及び下側のばね受け部材７９と後のグリップケース２５ｂとに挟み込んで回転自在に固定される。
【００４４】
モータ４からヘッドケース７の底面の穴を通って下方に延出するリード線１４は防水を維持するゴムチューブ５０に挿通した後にグリップケース２５ａの上面に設けられた穴を通ってグリップケース２５ａ，２５ｂ内の回路に結線される。
【００４５】
上記の図１０乃至図１６に示す例で電気かみそりでも刃ヘッドブロック１の重心位置より回転中心（揺動中心）が下側に位置するため、刃ヘッド部全体の質量が揺動を助ける力となって働くために、肌への押し付け力を助ける方向の力となって働き、刃ヘッドブロック１の追従性をよくできる。
【００４６】
上記図１乃至図１６の例の電気かみそりの外刃ブロック６の構造についてさらに詳しく述べると、次の通りである。外刃ブロック６には３つの外刃８が前後方向に並べて装着されている。この外刃８はネット刃８ａ、スリット刃８ｂ、ネット刃８ｃで構成されている。外刃ブロック６のカバー体６０は前カバー体６０ａと中央カバー体６０ｂと後カバー体６０ｃとで構成され、これらに夫々ネット刃８ａ、スリット刃８ｂ、ネット刃８ｃが装着され、これらは図１７に示すように枠形状の保持枠１００により保持されている。
【００４７】
ネット刃８ａ，８ｃは外刃枠１０１により固定され、外刃枠１０１は前後カバー体６０ａ，６０ｃと一体になるように外刃枠１０１のフック部１０２と前後のカバー体６０ａ，６０ｂの溝部１０３により係止されている。ネット刃８ａ，８ｃの動作を構成するため前後のカバー体６０ａ，６０ｂの両端に設けたリブ１０４が保持枠１００の両端の溝部１０５に上下動自在に係合しており、外刃８が内刃５から内刃押し上げばね２２による弾性付勢を受けることにより上下にフロートしながら左右に傾くことができるようになっている。
【００４８】
スリット刃８ｂは中央カバー体６０ｂに一体に設けられており、中央カバー体６０ｂの両端に設けられたリブ１０６が保持枠１００の中央の溝部１０７に上下動自在に係合しており、スリットフロートばね１０８のばね力により上方に付勢されることにより、上下にフロートしながら左右に傾くことができる。スリットフロートばね１０８の下側は外刃枠１０１に設けた突起１０９と係合してばね力を発生させるものであり、この構成によりスリット刃８ｂを付勢するが、片側のネット刃８ａを押し下げる力となって働き、ネット刃８ａのフロート力を低減させる機能を有している。保持枠１００の左右方向両端に設けられた係合穴１１０と、着脱釦１８の上部の係合突起２３が係合することにより外刃ブロック６は刃ヘッドブロック１のヘッドケース７に対して着脱自在に保持されている。
【００４９】
外刃ブロック６が上記のように刃ヘッドブロック１に取り付けられ、各外刃８が左右に揺動自在且つ上下動自在に取り付けられ、各外刃８が揺動の中立位置に位置し且つ上方に移動するようにばねにて弾性付勢されており、一方、刃ヘッド部としての刃ヘッドブロック１はグリップ部としてのグリップブロック２に揺動自在且つ上下動自在に取り付けられ、刃ヘッドブロック１が揺動の中立位置に位置し且つ上方に移動するように弾性付勢されているが、各外刃８を弾性付勢する力より刃ヘッドブロック１を弾性付勢する力の方が大きくなるように設定してある。
【００５０】
次に刃ヘッド部としての刃ヘッドブロック１と外刃８のフロート動作について説明する。外刃８を肌に接触させていなくて外力のかからないフロートの初期状態は図１８の状態であり、３つの外刃８の頂上ラインにより形成された外刃面は傾きがなく水平状態にある。
【００５１】
実際の剃り状態においては、顔の各部位に対応して刃ヘッド部としての刃ヘッドブロック１と外刃８が様々の動きを行うものであるが、面全体に対する動きとしては大きく３つのパターンが存在する。
【００５２】
１つめの動きは左右方向い傾いた面への追従である。図１９に示すように、左右方向に傾いた肌面に対する追従としては刃ヘッドブロック１全体が左右に傾くと共に、各外刃８が左右に傾き、その角度の総和量まで追従が可能となる。またこの場合には３つの外刃８の全てが肌に当っているために、フロート力は３つの外刃８となって相当大きくなるが、刃ヘッドブロック１の傾むかせるため傾き力をその合力より小さく設定しておくことにより、刃ヘッドブロック１が比較的小さい力で傾き、肌への追従性が上がると共により柔らかい肌当りを実現できるのである。
【００５３】
２つめの動きは、左右と前後を組み合わせた斜め方向の面への追従である。図２０に示すように前側の外刃８の片側が下がって傾くと共に中央の外刃８の片側がその半分量だけ傾くことにより外刃面が斜めになると共に刃ヘッド部としての刃ヘッドブロック１全体が例えば右側に傾くためにさらに大きな追従機能を有するようにできる。
【００５４】
３つめの動きとしては、前後方向への傾いた面への追従である。図２１に示すように、まず前側の外刃８が下がり、次に中央の外刃８が下がることにより、前後方向に傾いた外刃面を構成して追従をなすものである。さらに荷重がかかることにより、図２２に示すように刃ヘッド部としての刃ヘッドブロック１がグリップ部としてのグリップブロック２に対して下がり、より大きな力がかかってもばね力がその力を吸収して肌に対する衝撃を緩和することができるものである。このように刃ヘッド部としての刃ヘッドブロック１全体のフロート力より各外刃８のフロート力を小さくすることにより細かい凹凸に対しては刃ヘッドブロック１が余り動かない状態で外刃８のフロートで追従し、大きな凹凸に対しては刃ヘッドブロック１が大きく動くので、どんな部位でも追従して剃りの残しをなくすことができるものである。
【００５５】
次に図２３乃至図２６に示す実施の形態の例について述べる。本例も上記例と基本的に同じであり、異なる点だけ主に述べる。上記例では刃ヘッド部である刃ヘッドブロック１が左右に回動して揺動すると共に上下動するようになっているが、本例は刃ヘッドブロック１が上下動せずに左右に揺動するようになっている。ヘッドケース７の前面の突起部３４間の中間部分にボス９１を突設してあり、前のグリップケース２５の突出面３５の開口部７４の上に設けた軸穴９２にボス９１を回転自在に嵌合してあり、ボス９１に固定ねじ９３を螺合して固定してある。
また上記例ではヘッド支持部材３１の上端の穴３３に突起部３４を回転自在に連結したが、本例ではヘッド支持部材３１の上端面を突起部３４に当接してあるだけである。
【００５６】
この場合、グリップブロック２に対して刃ヘッドブロック１が図２４のようにボス９１を中心に揺動する。この場合、刃ヘッドブロッグ１がグリップブロック２に対して上下にフロートしないが、このフロートがない以外は前述の例と同様の動作をする。
【００５７】
なお、上記実施の形態の例では外刃８に対して内刃５が左右に摺動するように内刃５を摺接させると共に内刃５をモータ４で左右に往復駆動する往復式の刃を刃ヘッド部としての刃ヘッドブロック１に設けた例について述べたが、内刃５が回転駆動されるロータリー式の刃を刃ヘッドブロック１に設けたものでも同様に実施できる。
【００５８】
【発明の効果】
本発明の請求項１の発明は、毛を切断する刃ヘッド部と、この刃ヘッド部の下方に連結されるグリップ部とからなり、毛が導入される多数の開口を形成した外刃と、外刃に摺接する内刃と、内刃を復駆動するモータとを刃ヘッド部に備え、刃ヘッド部が左右に揺動し得るように刃ヘッド部をグリップ部に揺動自在に連結すると共に、刃ヘッド部が揺動方向の中立位置に位置するように刃ヘッド部を弾性付勢し、刃ヘッド部の複数の外刃のうち少なくとも１つを左右に揺動自在且つ上下動自在に設けると共に外刃が揺動の中立位置で且つ上方位置するように弾性付勢し、外刃を弾性付勢する力より刃ヘッド部を弾性付勢する力を大きくしたので、刃ヘッド部が左右に揺動して大きな肌面の変化に対して追従性をよくできると共に剃り部である外刃が左右上下に動くことにより細かい肌の凹凸に対しても確実に追従するために外刃と肌とが密着し、剃り残しが少なくなって早く仕上がると共に肌に対する衝撃を吸収できるために肌へのダメージを低減することができるものであり、しかも細かい肌の凹凸に対して刃ヘッド部が余り動かないで外刃のフロートの動きで追従し、大きな凹凸に対しては刃ヘッド部が大きく動くのでどんな部位においても剃り残しがなくなるものである。
【００５９】
また本発明の請求項２の発明は、請求項１において、刃ヘッド部を左右に揺動自在且つ上下動自在にし、刃ヘッド部が揺動方向の中立位置に位置すると共に上方に移動するように弾性付勢したので、請求項１のものに加えて刃ヘッド部全体が上下にフロートする機能も有するために柔らかく心地よい肌当りの感触が得られるものである。
【００６０】
また本発明の請求項４の発明は、請求項１乃至請求項３のいずれかにおいて、刃ヘッド部に複数の外刃を平行に設けると共に複数の外刃を夫々独立して揺動且つ上下動自在にしたので、刃ヘッド部の複数の外刃が別々にフロートするために外刃が並ぶ方向に対する肌の凹凸に対しても追従できて全ての外刃を肌に確実に密着させて一層剃り残しのないようできるものである。
【００６１】
また本発明の請求項５の発明は、請求項１乃至請求項４のいずれかにおいて、内刃を駆動するモータを刃ヘッド部内に収納したので、髭屑や水がモータや回路に浸入するのを防止しながら刃ヘッド部をグリップ部に対して大きく動かすことができるものである。
【００６２】
また本発明の請求項６の発明は、請求項２において、ヘッド支持部材を刃ヘッド部に対して回転自在に結合し、ヘッド支持部材が上方に弾性付勢されながらグリップ部に上下動自在に支持されたので、回転支持部と上下動支持部とを分離したために片方の動きがもう一方の動きに与える影響が殆どなくなるために大きな動きを実現し、肌への追従機能を向上させることができるものである。
【図面の簡単な説明】
【図１】本発明の実施の形態一例の全体の分解斜視図である。
【図２】同上の刃ヘッドブロックの分解斜視図である。
【図３】同上の正面図である。
【図４】同上の正面から見た断面図である。
【図５】図４の刃ヘッドブロックも破断した断面図である。
【図６】同上の動作状態を説明する正面図である。
【図７】同上の動作状態を説明する正面図である。
【図８】同上の動作状態を説明する正面図である。
【図９】同上のグリップブロックの一部の分解斜視図である。
【図１０】同上の他の例の全体を示す一部分解斜視図である。
【図１１】同上の正面図である。
【図１２】同上の全体の分解斜視図である。
【図１３】図１２とは異なる方向から見た分解斜視図である。
【図１４】同上の刃ヘッドブロックの分解斜視図である。
【図１５】（ａ）は図１１の一部省略断面図、（ｂ）は（ａ）の状態から刃ヘッドブロックが傾動した状態の一部省略断面図、（ｃ）は（ａ）の状態から刃ヘッドブロックが下降した状態の一部省略断面図である。
【図１６】同上のばねブロックの分解斜視図である。
【図１７】同上の外刃ブロックの構造を示す分解斜視図である。
【図１８】同上の電気かみそりの動作を説明する図で、（ａ）は斜視図、（ｂ）は正面図、（ｃ）は側面図である。
【図１９】同上の電気かみそりの動作を説明する図で、（ａ）は斜視図、（ｂ）は正面図、（ｃ）は側面図である。
【図２０】同上の電気かみそりの動作を説明する図で、（ａ）は斜視図、（ｂ）は正面図、（ｃ）は側面図である。
【図２１】同上の電気かみそりの動作を説明する図で、（ａ）は斜視図、（ｂ）は正面図、（ｃ）は側面図である。
【図２２】同上の電気かみそりの動作を説明する図で、（ａ）は斜視図、（ｂ）は正面図、（ｃ）は側面図である。
【図２３】同上のさらに他の例を示し、（ａ）は一部切欠正面図、（ｂ）は（ａ）のＸ−Ｘ線断面図、（ｃ）は正面から見た断面図、（ｄ）は（ｂ）のＹ部拡大断面図である。
【図２４】同上の刃ヘッドブロックが傾いた状態を示し、（ａ）は正面図、（ｂ）は一部切欠正面図、（ｃ）は断面図である。
【図２５】同上の分解斜視図である。
【図２６】図２５の前のグリップケースの他の方向から見た斜視図である。
【符号の説明】
１  刃ヘッドブロック
２  グリップブロック
４  モータ
５  内刃
６  外刃ブロック
７  ヘッドケース
８  外刃
【図１】
0003826876.tif 000002
【図２】
0003826876.tif 000003
【図３】
0003826876.tif 000004
【図４】
0003826876.tif 000005
【図５】
0003826876.tif 000006
【図６】
0003826876.tif 000007
【図７】
0003826876.tif 000008
【図８】
0003826876.tif 000009
【図９】
0003826876.tif 000010
【図１０】
0003826876.tif 000011
【図１１】
0003826876.tif 000012
【図１２】
0003826876.tif 000013
【図１３】
0003826876.tif 000014
【図１４】
0003826876.tif 000015
【図１５】
0003826876.tif 000016
【図１６】
0003826876.tif 000017
【図１７】
0003826876.tif 000018
【図１８】
0003826876.tif 000019
【図１９】
0003826876.tif 000020
【図２０】
0003826876.tif 000021
【図２１】
0003826876.tif 000022
【図２２】
0003826876.tif 000023
【図２３】
0003826876.tif 000024
【図２４】
0003826876.tif 000025
【図２５】
0003826876.tif 000026
【図２６】
0003826876.tif 000027